(57)【要約】【課題】ホルダー部の頻繁な揺動にも本体とカバー部とを連結するＦＰＣＢの損傷がなくて、本体及びカバー部の信頼性を保障し得るＦＰＣＢの連結メカニズムを提供しようとする。【解決手段】主ＰＣＢ３０を収容する本体１０と、補助ＰＣＢ６０を収容するカバー部５０と、それら本体１０とカバー部５０とを揺動自在に連結するヒンジメカニズムと、により構成されるホルダー型端末機であって、一方端が前記主ＰＣＢ３０に連結された第１ＦＰＣＢ６５の他方端に連結される第１コネクター８０と、一方端が前記補助ＰＣＢ６０に連結された第２ＦＰＣＢ６７の他方端に連結される第２コネクター９０と、を包含してＦＰＣＢの連結メカニズムを構成する。【選択図】　図１
2004072726.tif 000002
【特許請求の範囲】
【請求項１】
主ＰＣＢが収容される本体と、補助ＰＣＢが収容されるカバー部と、それら本体とカバー部とを揺動自在に連結するヒンジメカニズムと、により構成されたホルダー型端末機であって、
一方端が前記主ＰＣＢに連結された第１ＦＰＣＢの他方端に連結される第１コネクターと、
一方端が前記補助ＰＣＢに連結された第２ＦＰＣＢの他方端に連結される第２コネクターと、から構成されることを特徴とするＦＰＣＢの連結メカニズム。
【請求項２】
前記第１コネクターは前記本体に設置され、前記第２コネクターは前記カバー部に設置され、それら第１コネクターと第２コネクターとは相互揺動自在に結合されることを特徴とする請求項１記載のＦＰＣＢの連結メカニズム。
【請求項３】
前記第１コネクターにはヒンジ軸方向にシリンダー形態の連結ホールが穿孔形成され、前記第２コネクターには前記連結ホールと対応する方向に連結棒が突成されることで、前記連結ホールに揺動自在に挿合されることを特徴とする請求項２記載のＦＰＣＢの連結メカニズム。
【請求項４】
前記連結ホールの表面には円周方向に長く複数の電極が形成され、前記連結棒の表面にも円周方向に長く複数の電極が形成されることで、前記連結ホールの電極と接触されることを特徴とする請求項３記載のＦＰＣＢの連結メカニズム。
【請求項５】
前記第１コネクターの外周面には前記ヒンジ軸と平行にスロットが切削形成され、前記第１ＦＰＣＢの他方端に形成された電極ピンを収容することを特徴とする請求項４記載のＦＰＣＢの連結メカニズム。
【請求項６】
前記第１コネクターのスロットは、前記第１コネクターの連結ホールに形成された複数の電極と電気的に連結されることを特徴とする請求項５記載のＦＰＣＢの連結メカニズム。
【請求項７】
前記第２コネクターの外周面には前記ヒンジ軸と平行にスロットが切削形成され、前記第２ＦＰＣＢの他方端に形成された電極ピンを収容することを特徴とする請求項５記載のＦＰＣＢの連結メカニズム。
【請求項８】
前記第２コネクターのスロットは、前記第２コネクターの連結棒に形成された複数の電極と電気的に連結されることを特徴とする請求項７記載のＦＰＣＢの連結メカニズム。
【請求項９】
前記第２コネクターの外周面には前記ヒンジ軸と平行にスロットが切削形成され、前記第２ＦＰＣＢの他方端に形成された電極ピンを収容することを特徴とする請求項６記載のＦＰＣＢの連結メカニズム。
【請求項１０】
前記第２コネクターのスロットは、該第２コネクターの連結棒に形成された複数の電極と電気的に連結されることを特徴とする請求項９記載のＦＰＣＢの連結メカニズム。
【発明の詳細な説明】
【０００１】
【発明の属する技術分野】
本発明は、携帯用端末機に係るもので、詳しくは、ヒンジ軸支されるホルダー型端末機の本体とカバー部とを電気的に連結するＦＰＣＢ（ｆｌｅｘｉｂｌｅ　ｐｒｉｎｔｅｄ　ｃｉｒｃｕｉｔ　ｂｏａｒｄ）連結メカニズムに関するものである。
【０００２】
【従来の技術】
一般に、ホルダー型端末機は、キーパッド、マイク及び端末機を駆動するための各構成要素（ｃｏｍｐｏｎｅｎｔ）からなるプリント回路基板（ＰＣＢ）が収容された本体に、スピーカー、表示装置及びそれらスピーカーと表示装置との駆動要素を有するＰＣＢが収容されたカバー部がヒンジ軸により揺動自在に連結支持されている。
【０００３】
前記カバー部を駆動するためには、本体と電気的に連結すべきであるため、前記本体及びカバー部のＰＣＢは、前記ＦＰＣＢにより連結される。
【０００４】
図４は従来ホルダー型端末機を示した斜視図で、図示されたように、端末機本体１００のＰＣＢ１３０及びカバー部１５０のＰＣＢ１６０は、本体のヒンジ支持台１１３と、該ヒンジ支持台１１３に揺動自在に挿入されて前記カバー部１５０のヒンジ軸１５４の内部空間に貫設されたＦＰＣＢ２００と、により連結されている。
【０００５】
図５は図４のＦＰＣＢ２００を示した拡大図で、図示されたように、前記ＦＰＣＢ２００は、前記本体１００に挿入される本体連結部２０１と、前記カバー部１５０に挿入されるカバー連結部２０２と、ヒンジ軸１５４の揺動時に歪む現象を最小化するために、前記本体連結部２０１とカバー連結部２０２とが直角をなすようにヒンジ軸１５４と平行に屈曲され、それら本体連結部２０１とカバー連結部２０２とに連結された中間部２０４と、から構成されている。
【０００６】
又、前記ＦＰＣＢ２００の本体連結部２０１及びカバー連結部２０２の終端には電極ピン２０５，２０６が形成されて、前記本体１００及びカバー部１５０のＰＣＢに形成されたスロット１３１に挿入されるようになっている。
【０００７】
【発明が解決しようとする課題】
然るに、このように構成された従来ホルダー型端末機においては、前記ヒンジ支持台１１３により支持された前記カバー部１５０が頻繁に揺動するようになっているため、前記ヒンジ支持台１１３及び前記ヒンジ軸１５４の中空に貫設された前記ＦＰＣＢ２００の中間部２０４がねじれ及び曲げ応力により破損されやすく、且つ、該中間部２０４の変形により内部回路の抵抗値が変化したり、又は回路が断線されやすいという不都合な点があった。
【０００８】
本発明は、このような従来の課題に鑑みてなされたもので、ホルダー型端末機において、ホルダー部の頻繁な揺動によっても本体とカバー部とを堅固に連結することで、本体及びカバー部の信頼性を向上して信号伝達を保障し得るＦＰＣＢの連結メカニズムを提供することを目的とする。
【０００９】
【課題を解決するための手段】
このような目的を達成するため、本発明に係るホルダー型端末機のＦＰＣＢの連結メカニズムにおいては、一方端が端末機本体の主ＰＣＢに連結された第１ＦＰＣＢの他方端が連結される第１コネクターと、一方端がカバー部の補助ＰＣＢに連結された第２ＦＰＣＢの他方端に連結される第２コネクターと、から構成されることを特徴とする。
【００１０】
又、前記第１コネクターは前記本体に固定設置され、前記第２コネクターは前記カバー部に固定設置され、それら第１コネクターと第２コネクターとは相互揺動自在に結合されることを特徴とする。
【００１１】
又、前記第１コネクターにはヒンジ軸方向にシリンダー形態の連結ホールが穿孔形成され、前記第２コネクターには前記連結ホールと対応する方向に連結棒が形成されることで、前記連結ホールに揺動自在に挿合されることを特徴とする。
【００１２】
又、前記連結ホールの表面には外周面横方向に長く複数の電極が形成され、前記連結棒の表面にも外周面横方向に長く複数の電極が形成されることで、前記連結ホールの電極と接触されて前記第１コネクターと第２コネクターとが相互揺動しても、常に電気的連結を維持し得ることを特徴とする。
【００１３】
又、前記第１コネクターの外周面には前記ヒンジ軸と平行にスロットが切削形成されて、前記第１ＦＰＣＢの他方端に形成された電極ピンを収容し、該第１コネクターのスロットは、前記第１コネクターの連結ホール内の複数の電極と電気的に連結されることを特徴とする。
【００１４】
又、前記第２コネクターの外周面には前記ヒンジ軸と平行にスロットが切削形成されることで、前記第２ＦＰＣＢの他方端に形成された電極ピンを収容し、前記第２コネクターのスロットは、該第２コネクターの連結棒の電極と電気的に連結されることを特徴とする。
【００１５】
本発明によるＦＰＣＢの連結メカニズムは、主ＰＣＢが収容される本体と、補助ＰＣＢが収容されるカバー部と、それら本体とカバー部とを揺動自在に連結するヒンジメカニズムと、により構成されたホルダー型端末機であって、一方端が前記主ＰＣＢに連結された第１ＦＰＣＢの他方端に連結される第１コネクターと、一方端が前記補助ＰＣＢに連結された第２ＦＰＣＢの他方端に連結される第２コネクターと、から構成されることを特徴とし、それにより上記目的が達成される。
【００１６】
前記第１コネクターは前記本体に設置され、前記第２コネクターは前記カバー部に設置され、それら第１コネクターと第２コネクターとは相互揺動自在に結合されることを特徴としてもよい。
【００１７】
前記第１コネクターにはヒンジ軸方向にシリンダー形態の連結ホールが穿孔形成され、前記第２コネクターには前記連結ホールと対応する方向に連結棒が突成されることで、前記連結ホールに揺動自在に挿合されることを特徴としてもよい。
【００１８】
前記連結ホールの表面には円周方向に長く複数の電極が形成され、前記連結棒の表面にも円周方向に長く複数の電極が形成されることで、前記連結ホールの電極と接触されることを特徴としてもよい。
【００１９】
前記第１コネクターの外周面には前記ヒンジ軸と平行にスロットが切削形成され、前記第１ＦＰＣＢの他方端に形成された電極ピンを収容することを特徴としてもよい。
【００２０】
前記第１コネクターのスロットは、前記第１コネクターの連結ホールに形成された複数の電極と電気的に連結されることを特徴としてもよい。
【００２１】
前記第２コネクターの外周面には前記ヒンジ軸と平行にスロットが切削形成され、前記第２ＦＰＣＢの他方端に形成された電極ピンを収容することを特徴としてもよい。
【００２２】
前記第２コネクターのスロットは、前記第２コネクターの連結棒に形成された複数の電極と電気的に連結されることを特徴としてもよい。
【００２３】
前記第２コネクターの外周面には前記ヒンジ軸と平行にスロットが切削形成され、前記第２ＦＰＣＢの他方端に形成された電極ピンを収容することを特徴としてもよい。
【００２４】
前記第２コネクターのスロットは、該第２コネクターの連結棒に形成された複数の電極と電気的に連結されることを特徴としてもよい。
【００２５】
【発明の実施の形態】
以下、本発明の実施の形態に対し、図面に基づいて説明する。
【００２６】
図１は本発明に係るＦＰＣＢの連結メカニズムが適用された端末機の構造を示した平面切開図で、図示されたように、本発明に係るホルダー型端末機においては、本体１０と、該本体１０に揺動自在に連結されたカバー部５０と、それら本体１０及びカバー部５０を電気的に連結するＦＰＣＢの連結メカニズム７０と、を包含して構成されている。
【００２７】
このとき、前記本体には、端末機を操作するキーパッド２０、マイクロホン１１及び端末機を運用する各素子が実装された主ＰＣＢ３０が収容され、前記カバー部５０には、スピーカー５１、表示装置５３及びそれらスピーカー５１と表示装置５３とを運用する各素子からなる補助ＰＣＢ６０が収容される。
【００２８】
又、前記本体１０の上部左右側には断面がコの字型に一方側が開放された開放部１５を有する第１支持ブロック１２ａ及び第２支持ブロック１２ｂが各開放部１５の相互向かい合った状態に横設され、それら第１及び第２支持ブロック１２ａ，１２ｂ間には延長部５４が配置され、該延長部５４の右側端には前記第２支持ブロック１２ｂの開放部１５に対応する突出部（図示せず）が形成され、前記延長部５４の左側端には後述するＦＰＣＢの連結メカニズムを収容する開孔部５５が切削形成されている。
【００２９】
又、図２は図１の端末機に採用されるＦＰＣＢの連結メカニズムを示した分解斜視図で、図示されたように、前記ＦＰＣＢの連結メカニズム７０は、前記本体１０の第１支持ブロック１２ａの開放部１５に挿合される環状の第１コネクター８０と、前記延長部５４の開孔部５５に挿合される第２コネクター９０と、から構成されている。
【００３０】
且つ、前記第１コネクター８０は、環状の中央に連結ホール８２が穿孔形成されて該連結ホール８２の内周面に複数の電極８６が形成され、外周面には中心軸方向に長く第１スロット８４が切削形成されて、該第１スロット８４が前記電極８６に連結されて構成される。
【００３１】
又、前記第２コネクター９０は、前記第１コネクター８０と同様な径を有する円筒状ボディー９１と、該円筒状ボディー９１の一方端から前記第１コネクター８０の連結ホール８２が挿合される程度の径を有して突成された連結棒９２と、から構成され、前記円筒状ボディー９１の外周面には、軸方向に長くストッパー９３が突成され、該ストッパー９３と所定距離を有して前記カバー部５０のＦＰＣＢに連結される第２スロット９４が突成されている。又、前記連結棒９２の外周面には円周方向に長く複数の電極９６が形成され、それら電極９６は円筒状ボディー９１の前記第２スロット９４と電気的に連結されている。
【００３２】
このように構成された第１コネクター８０及び第２コネクター９０は、前記第２コネクター９０の連結棒９２を前記第１コネクター８０の連結ホール８２に揺動自在に挿入して結合させることで、前記連結棒９２の電極９６と前記連結ホール８２内の電極８６との接触により電気的に連結される。
【００３３】
又、前記第１コネクター８０と前記第２コネクター９０とは相互揺動自在に結合することで、前記第１支持ブロック１２ａの開放部１５及び延長部５４の開孔部５５に夫々挿合され、前記延長部５４の右側端の突出部が前記第２支持ブロック１２ｂの開放部１５に揺動自在に挿合されるため、結局、前記カバー部５０は、電気的に連結された状態で前記本体１０に揺動自在に連結される。
【００３４】
図３は図２のＦＰＣＢの連結メカニズムを示した斜視図で、図示されたように、ＦＰＣＢの連結メカニズム７０において、第１コネクター８０の第１スロット８４には、前記本体１０の主ＰＣＢ３０に一方端が連結される第１ＦＰＣＢ６５の他方端に形成された第１電極ピン６６が挿入され、前記第２コネクター９０の第２スロット９４には、前記カバー部５０の補助ＰＣＢ６０（図１参照）に一方端が連結される第２ＦＰＣＢ６７の他方端に形成された第２電極ピン６８が挿入される。
【００３５】
以下、このように構成された本発明に係るＦＰＣＢの連結メカニズムの動作に対して説明する。
【００３６】
まず、前記ＦＰＣＢの連結メカニズムを搭載したホルダー型端末機が折り畳まれた状態で、前記カバー部５０が前記本体の第１及び第２支持ブロック１２ａ，１２ｂにより支持されて揺動しながら開かれると、前記ＦＰＣＢの連結メカニズム７０の第２コネクター９０は前記カバー部５０と一緒に揺動するようになる。この場合、前記第２コネクター９０の連結棒９２は、前記第１支持ブロック１２ａに挿合された第１コネクター８０の連結ホール８２の内部で揺動するが、前記第１コネクター８０が前記第２コネクター９０と一緒に揺動しても、前記第２コネクター９０の連結棒９２上に形成された電極９６が前記第１コネクター８０の連結ホール８２に形成された電極８６と接触状態を維持するため、本体１０とカバー部５０との電気的連結を維持し得るようになる。
【００３７】
【発明の効果】
以上説明したように、本発明に係るホルダー型端末機のＦＰＣＢの連結メカニズムにおいては、端末機カバーを頻繁に開閉しても、カバー部と本体とを電気的に連結するＦＰＣＢにねじり現象が全く発生しないため、ＦＰＣＢの毀損及び応力の変形により発生する抵抗値の変化を防止することで、カバー部と本体間の信頼性を期待し得るという効果がある。
【図面の簡単な説明】
【図１】本発明に係るＦＰＣＢの連結メカニズムが適用された端末機の構造を示した平面切開図である。
【図２】図１の端末機に装着されるＦＰＣＢの連結メカニズムを示した分解斜視図である。
【図３】図２のＦＰＣＢの連結メカニズムを示した斜視図である。
【図４】従来移動通信端末機の送受信機の構造を示した斜視図である。
【図５】図４の端末機の本体とカバー部とを電気的に連結するＦＰＣＢの構造を示した拡大図である。
【符号の説明】
１０　本体
１１　マイクロホン
１２ａ　第１支持ブロック
１２ｂ　第２支持ブロック
１５　開放部
２０　キーパッド
３０　主ＰＣＢ
５０　カバー部
５３　表示装置
５４　延長部
５５　開孔部
６０　補助ＰＣＢ
６５　第１ＦＰＣＢ
６７　第２ＦＰＣＢ
７０　ＦＰＣＢの連結メカニズム
８０　第１コネクター
８２　連結ホール
８４　第１スロット
９０　第２コネクター
９１　円筒状ボディー
９２　連結棒
９４　第２スロット
【図１】
2004072726.tif 000003
【図２】
2004072726.tif 000004
【図３】
2004072726.tif 000005
【図４】
2004072726.tif 000006
【図５】
2004072726.tif 000007